(57)【要約】【課題】    着脱し易さと、踵部のホールド性を両立した短靴を提供する。【解決手段】  短靴１を背面視した際に、アッパー踵部１０の最凸部（最も高い位置）１２が、当該短靴１の踵部中央ＣＬ１から外側に所定量オフセット配置すると共に、アッパー内側の履き口上縁面１４の高さ位置を、アッパー外側の履き口上縁面１６の高さ位置よりも低く形成する。【選択図】図１
2010201155.tif 000002
【特許請求の範囲】
【請求項１】
短靴を背面視した際に、アッパー踵部の最も高い位置が、当該短靴の踵部中央から外側に所定量オフセット配置されると共に、
アッパー内側の履き口上縁面の高さ位置が、アッパー外側の履き口上縁面の高さ位置よりも低く形成されている
ことを特徴とする短靴。
【請求項２】
請求項１において、
前記オフセットされた位置が、当該履物を履くことが想定される標準足形を平面視した際の中心位置と、当該標準足形の第1趾と第２趾の間を結ぶ仮想線上にある
ことを特徴とする短靴。
【発明の詳細な説明】
【技術分野】
【０００１】
本発明は、短靴に関し、特に詳しくは踵部を覆うアッパーを備えた短靴の技術分野に関する。
【背景技術】
【０００２】
靴の着脱のし易さと、装着後のホールド性とは相反する性質のものである。例えば靴の履き口が広く設計されていると着脱はし易いものの、ホールド性（特に踵部のホールド性）は低下する傾向にある。一方、ホールド性を重視すれば履き口を狭く構成するのが望ましく、着脱が困難となりやすい。
【０００３】
このような問題点、特に着脱のし易さを向上させた発明として特許文献１が公知である。特許文献１では、靴の履き口外側（右足用の靴であれば右側面、左足用の靴であれば左側面）を大きく切り欠いた構成とすることによって、（特に障害者などの）着脱の容易化を図ったものである。
【先行技術文献】
【特許文献】
【０００４】
【特許文献１】特開２００５−２４５８３１号公報
【発明の概要】
【発明が解決しようとする課題】
【０００５】
しかしながら、特許文献１に記載の靴では、確かに履き口が広がることで着脱のし易さは向上するものの、必ずしも踵部分のホールド性の向上が図られているものではなかった。
【０００６】
本発明は、これらの問題点を解決するべくなされたものであって、靴の着脱のし易さと踵部のホールド性を両立させることを目的としている。
【課題を解決するための手段】
【０００７】
そこで本発明は、短靴を背面視した際に、アッパー踵部の最も高い位置が、当該短靴の踵部中央から外側に所定量オフセット配置されると共に、アッパー内側の履き口上縁面の高さ位置を、アッパー外側の履き口上縁面の高さ位置よりも低く形成することによって、上記課題を解決するものである。
【０００８】
特に、前記オフセットされた位置を、当該短靴を履くことが想定される標準足形を平面視した際の中心位置と、当該標準足形の第1趾と第２趾の間を結ぶ仮想線上に設定することが望ましい。
【０００９】
一般的な人間の歩行は、図３（ａ）〜（ｄ）に順を追って示しているように、踵が地面に着地してから順次荷重点（黒い丸として示している）が足の前方（つま先方向）に移動して最後に地面から離脱する。歩行はこれの繰り返しである。このとき当該荷重点を平面視すると、その荷重点は必ずしも足の踵からつま先に向かって足の中心を移動するのではなく、踵部の中心よりも外側の位置から母趾（足の親指）の付け根付近に向かうライン上を移動する。この点に着目して見方を変えると、つま先に荷重が掛かっている状態では踵部が浮き上がることになるが、当該浮き上がりの力は、踵の真後ろ方向に掛るのではなく、前記した荷重の移動するライン上の方向（要するに踵部の真後ろ方向ではなく、若干外側にずれた位置）に掛るのである。
【００１０】
即ち、この荷重が移動するライン上の位置に当該靴の踵部を覆うアッパー（の最も高い部位）が位置していれば、踵が靴から浮き上がることを効果的に防止することができる。この点に着目し、本願発明では、アッパー踵部の最も高い位置を、当該履物の踵部中央から「外側」に所定量オフセットして配置したのである。公知文献（特許文献１）として示した靴は、本願発明とは全く逆方向である「内側」にオフセットされていることから、踵部のホールド性という観点からは却って望ましくない構成であった。
【００１１】
なお本明細書及び特許請求の範囲において、「内側」とは、各々の足の相手方側を意味している。即ち、右足であれば左足側、左足であれば右足側を意味する。また、「外側」とは、各々の足の反相手方側を意味している。即ち、右足であれば反左足側、左足であれば反右足側を意味する。
【発明の効果】
【００１２】
本発明により、着脱が容易であると共に、踵部を確実にホールドできる短靴を提供することができる。
【図面の簡単な説明】
【００１３】
【図１】本発明に係る短靴（左足用）の背面図である。
【図２】本発明に係る短靴（左足用）の平面図である。
【図３】歩行時の荷重の移動を示した概略図である。
【発明を実施するための形態】
【００１４】
以下、添付図面を参照しつつ、本願発明の実施形態の一例としての短靴１を例に説明する。なおここでは左足用の短靴１のみを表して説明するが、右足用の短靴はここで説明する短靴１の左右を反転させたものに相当する。
【００１５】
［短靴の構成］
図示の通り、短靴１は、ソール部２とアッパー部３とが接合された構成とされている。ソール部２は複数種類の合成ゴム等が組み合わされて構成されている。アッパー部３は主として皮革製の複数のパーツが縫着されて形成されている。
【００１６】
符号２０は当該短靴１の履き口を示している。本発明を適用した短靴１では、踵部１０の最凸部（最も高い位置）１２が、踵部中心ＣＬ１よりも外側にオフセットされている。また、アッパー内側の履き口上縁面１４の高さ位置を、アッパー外側の履き口上縁面１６の高さ位置よりも低くなるように形成し、履き口２０の開口面積を広く確保するように構成されている。なお、本実施形態では、アッパー内側の履き口上縁面１４の高さ位置と、アッパー外側の履き口上縁面１６の高さ位置との差Ｈ２が約１０ｍｍとなるように構成されているが、この値は用途や靴の種類などに応じて適宜変更可能である。Ｈ２の値を大きく確保することによって、履き口２０の開口面積を大きく確保でできるので、着脱がより容易となる。なお、符号３０はタンである。
【００１７】
また、最凸部１２がオフセットされている位置は、当該短靴１を履くことが想定される標準足形５０を平面視した際の中心位置Ｏと、当該標準足形５０の第1趾５１と第２趾５２の間５３を結ぶ仮想線ＶＬ１上に設定されている（図２参照）。ここで中心位置Ｏとは、標準足形５０の幅方向の中心線ＣＬ１と長さ方向の中心線ＣＬ２との交点を意味している。
【００１８】
［短靴の作用］
短靴１では、短靴１を背面視した際に、アッパー踵部１０の最凸部１２が、当該短靴１の踵部１０中央から外側に所定量オフセット配置されると共に、アッパー内側の履き口上縁面１４の高さ位置が、アッパー外側の履き口上縁面１６の高さ位置よりも低く形成されている。よって、履き口２０の開口面積を広く確保でき、短靴１への足の出し入れが容易である。即ち着脱が容易である。また、最凸部１２が、歩行時の荷重移動ラインに略一致する仮想線ＶＬ１上に位置するように形成されていることから、歩行の際に踵が浮き上がった場合においても、短靴１の踵部１０が踵を確実にホールドすることが可能となっている。
【００１９】
なお、上記では短靴１として所謂「紳士用の革靴」を例に説明しているが、これに限定されるものではない。例えば運動靴や部屋履き、踵付きサンダル等にも問題なく適用することができる。更にパンプスやハイヒールなど、女性用の靴に適用することも可能である。
【００２０】
［その他］
この出願発明は着脱が容易な靴、特に革製や樹脂製などの比較的硬い材料から成る靴や剛性を持ったヒールカウンター等を備える靴に関するものである。従来の靴は、靴を履くときに靴の履き口後方を巻き込んだり靴の踵部が潰れてしまう問題がある。上記のような問題があるために靴の着脱が容易ではない状態である。靴の履き口の形状を靴の外側側面或いは踵部中央から、踵部を除く靴の内側側面に至るまで下方へ凸状に作ることにより履き口の巻き込みを防止して靴の着脱を容易にしようとするものである。この出願発明の靴は、従来の靴と比べると履き口踵部内側で大きく切り開かれている。この切り開かれた箇所から足の踵を靴内に挿入することにより履き口の巻き込みが防止される。また靴を脱ぐときはその逆の動作で行うので靴の着脱が容易になる。靴の履き口が靴の外側側面或いは踵部中央から、踵部を除く靴の内側側面に至るまで下方へ凸状に作られていることを特徴とする靴。靴の着脱を容易にする為に靴の踵部内側を切り欠いた事を特徴とする靴。  
【符号の説明】
【００２１】
１…短靴
２…ソール部
３…アッパー部
１０…アッパー踵部
１２…最凸部
１４…履き口内側上縁
１６…履き口外側上縁
２０…履き口
３０…タン
５０…標準足形
【図１】
2010201155.tif 000003
【図２】
2010201155.tif 000004
【図３】
2010201155.tif 000005